(57)【要約】【課題】  曲面を有する被梱包体であっても、段ボール材のみで確実に緩衝及び固定を図ることができ、材料の調達及び廃棄を極めて容易とすることができる梱包体を提供する。【解決手段】  梱包体は、曲面部１０ａを有する略柱状の被梱包体１０を梱包する梱包体であって、被梱包体１０の両端の側面を支持するトレー部２１と、上面視でトレー部２１に支持された被梱包体１０の端部の曲面部１０ａを覆うように立設される一対の柱部２２と、柱部２２とトレー部２１との接触部分において両端が固定され、被梱包体１０の曲面部１０ａに沿って配設される帯状の回転止め部２３とを備え、一対の柱部２２が高さ方向においてトレー部２１側に押圧されて、回転止め部２３の両端部をトレー部２１が固定されて、当該回転止め部２３によって被梱包体１０の曲面部１０ａに沿った回転力を抑圧する。【選択図】      図６
2007223620.tif 000002
【特許請求の範囲】
【請求項１】
曲面部を有する略柱状の被梱包体を梱包する梱包体であって、
前記被梱包体の両端の側面を支持するトレー部と、
上面視で前記トレー部に支持された前記被梱包体の端部の曲面部を覆うように立設される一対の柱部と、
前記柱部と前記トレー部との接触部分において両端が固定され、前記被梱包体の曲面部に沿って配設される帯状の回転止め部とを備え、
前記一対の柱部が高さ方向において前記トレー部側に押圧されて、前記回転止め部の両端部を前記トレー部が固定されて、当該回転止め部によって前記被梱包体の曲面部に沿った回転力を抑圧すること
を特徴とする梱包体。
【請求項２】
前記柱部と前記トレー部とは、嵌合構造となっており、
前記回転止め部は、前記柱部と前記トレー部との嵌合構造によって挟持されて固定されることを特徴とする請求項１に記載の梱包体。
【請求項３】
前記回転止め部は、段目方向が帯状の長手方向とされる段ボール材から形成されており、所定の間隔で段目方向に直交して折り目がつけられていることを特徴とする請求項１に記載の梱包体。
【発明の詳細な説明】
【技術分野】
【０００１】
本発明は、曲面部を有する略柱状の被梱包体を梱包する梱包体に関する。
【背景技術】
【０００２】
従来から、製品等を輸送・保管する際には衝撃等に対する耐性を高めるために、各種梱包体が用いられている。このように複数種類の材料からなる梱包材を使用すると、当該複数種の材料を廃棄する際の環境に与える影響が大きく、環境に対する配慮が求められている。
【０００３】
従来の梱包構造は、被梱包体を梱包体とともに収容する箱体と、被梱包体を箱体内で固定し、且つ、落下等の衝撃から収容物を保護するための緩衝体とを用いるのが通常であり、各種梱包体についての技術も提案されている（例えば、非特許文献１等参照。）。
【非特許文献１】株式会社東レリサーチセンター、“調査研究レポートの販売「輸送包装技術と材料  ６．２発泡プラスチック緩衝材」”、［online］、［平成１７年１２月２０日検索］、インターネット＜URL:http://trcbook.com/zairyo/yusou.html＞
【発明の開示】
【発明が解決しようとする課題】
【０００４】
ところで、被梱包体を梱包体とともに収容する箱体としては、段ボール材が用いられることが極めて多い。しかしながら、従来の梱包体は、曲面を有する被梱包体の緩衝及び固定を図るために、当該被梱包体の形状に合わせて成型可能な発泡スチロールやパルプモウルドといった段ボール材とは異なる材質からなるものを用いていた。そのため、従来においては、梱包体を廃棄する際に、材質毎に分別する必要が生じ、非常に手間を要する作業を強いられるという問題があった。また、異なる材料からなる梱包構造となっているとコストが高くなるといった問題もある。
【０００５】
そこで、本発明は、上述したような問題を解決するために案出されたものであり、曲面部を有する被梱包体であっても、段ボール材のみで確実に緩衝及び固定を図ることができ、材料の調達及び廃棄を極めて容易とすることができる梱包体を提供することを目的とする。
【課題を解決するための手段】
【０００６】
本発明は、曲面部を有する略柱状の被梱包体を梱包する梱包体であって、上述の課題を解決するために、  被梱包体の両端の側面を支持するトレー部と、上面視でトレー部に支持された被梱包体の端部の曲面部を覆うように立設される一対の柱部と、柱部とトレー部との接触部分において両端が固定され、被梱包体の曲面部に沿って配設される帯状の回転止め部とを備える。この梱包体は、一対の柱部が高さ方向においてトレー部側に押圧されて、回転止め部の両端部をトレー部が固定されて、当該回転止め部によって被梱包体の曲面部に沿った回転力を抑圧するように構成されている。
【発明の効果】
【０００７】
本発明に係る梱包体によれば、曲面部を有する被梱包体であっても、回転止め部によって被梱包体の曲面部に沿った回転力を抑圧する構造となっているので、材料の調達が極めて容易な段ボール材からなる部材のみで確実に被梱包体の緩衝及び固定を図ることができる。したがって、材質毎に分別して廃棄する必要がなく、材料の調達及び廃棄、さらにはリサイクル活動を極めて容易とすることができる。
【発明を実施するための最良の形態】
【０００８】
以下、本発明の実施の形態について図面を参照して説明する。
【０００９】
本発明を適用した梱包体は、図１に示すように、曲面部１０ａを有する略柱状の被梱包体１０を梱包するものである。
【００１０】
具体的には、梱包体は、図２に示すように、被梱包体１０の側面１０ｂを支持するトレー状緩衝片２１を備える。
【００１１】
このトレー状緩衝片２１は、段ボール材からなり、略柱状の被梱包体１０を横たえた状態で載置可能な大きさの窪みが中央部２１ａに形成され、当該中央部２１ａに対して高い段差を形成している端部２１ｂとを有する。このトレー状緩衝片２１は、窪みの中央部２１ａと端部２１ｂとの段差によって被梱包体１０を支持する部材である。このトレー状緩衝片２１は、当該梱包体の底部を形成し、横たえた状態の被梱包体１０の底部及び左右側面１０ｂ、並びに前後部分を、落下等の衝撃に対する緩衝及び固定を図るための緩衝片として機能する。
【００１２】
また、梱包体は、図３に示す柱状緩衝片２２と、図４に示すような、この柱状緩衝片２２に固定される帯状緩衝片２３とを備える。なお、これら柱状緩衝片２２及び帯状緩衝片２３は、それぞれ被梱包体１０の両端部における側面１０ｂ側に取り付けられるために、一対ずつ用いられる。
【００１３】
柱状緩衝片２２は、段ボール材からなり、帯状緩衝片２３と、上面視でトレー状緩衝片２１に支持された被梱包体１０の側面１０ｂの上部の曲面部１０ａを覆うように立設されて用いられる。特に、柱状緩衝片２２は、図３に示すように、トレー状緩衝片２１の前後方向における端部２１ｂと嵌合可能な大きさの窪み２２ａを設けて形成された部材である。この柱状緩衝片２２は、特に図示しないが、トレー状緩衝片２１と当該柱状緩衝片２２とを全体として内部に案内する筐体である箱体内に収納されることにより、帯状緩衝片２３と被梱包体１０とを強固に密着させ、当該梱包体による当該被梱包体１０の緩衝及び固定機能を完全なものとする機能を有する。
【００１４】
一方、帯状緩衝片２３は、段ボール材の段目方向が長手方向とされる段ボール材からなり、図４（ａ）に示すように、トレー状緩衝片２１に支持された被梱包体１０の側面１０ｂの上部の曲面部１０ａと接するように配設される帯状の部材である。ここで、この帯状緩衝片２３には、図４（ｂ）に示すように、所定の間隔で段目方向に直交して複数の折り目がつけられている。これにより、帯状緩衝片２３は、被梱包体１０の曲面形状に合わせて屈曲し、当該被梱包体１０に密着することが可能とされる。
【００１５】
この帯状緩衝片２３は、図５に示すように、被梱包体１０の曲面形状に合わせて屈曲した状態で、端部が柱状緩衝片２２の窪み２２ａに覆われるように当該柱状緩衝片２２に装着され、当該柱状緩衝片２２と嵌合したトレー状緩衝片２１との間に挟持されて固定される。これにより、帯状緩衝片２３は、トレー状緩衝片２１に支持された当該被梱包体１０が梱包体内で回転し、当該トレー状緩衝片２１から浮き上がることにより、トレー状緩衝片２１の緩衝片としての機能が失われるのを防止する回転止め部としての機能を有する。
【００１６】
また、この帯状緩衝片２３の端部をトレー状緩衝片２１と箱状緩衝片２２との間で固定する構造としては、トレー状緩衝片２１に帯状緩衝片２３の端部の挿入穴を設けておき、当該帯状緩衝片２３の端部が挿入された状態で箱状緩衝片２２で帯状緩衝片２３を固定する構造であっても良い。
【００１７】
このような梱包体は、図６に示すような手順で組み立てられ、被梱包体１０を梱包する。
【００１８】
まず、梱包体を組み立てるにあたっては、同図（ａ）に示すような帯状緩衝片２３を、同図（ｂ）に示すように、被梱包体１０の曲面形状に合わせて屈曲した状態で箱状緩衝片２２の窪み２２ａに装着させる。そして、梱包体を組み立てるにあたっては、同図（ｃ）に示すように、被梱包体１０を支持したトレー状緩衝片２１と、帯状緩衝片２３が装着された一対の箱状緩衝片２２とを嵌合させ、同図（ｄ）に示すように、上面視でトレー状緩衝片２１に支持された被梱包体１０の側面１０ｂを覆うように柱状緩衝片２２を立設した状態とする。このとき、帯状緩衝片２３は、被梱包体１０の両端部の曲面部１０ａに沿った状態で、柱状緩衝片２２とトレー状緩衝片２１との嵌合構造によって挟持されて固定される。
【００１９】
梱包体は、このような手順にしたがって組み立てられ、トレー状緩衝片２１と柱状緩衝片２２とを全体として図示しない箱体内に案内される。すると、当該箱体によって箱状緩衝片２２の上面から下方向（高さ方向）において押圧力が加わり、帯状緩衝片２３の両端部を端部２１ｂによって固定する。これによって、帯状緩衝片２３によって被梱包体１０の曲面部１０ａを押圧して、被梱包体１０の回転力を抑圧できる。また、梱包体において箱状緩衝片２２をトレー状緩衝片２１に押しつける構造としては、箱体ではなくて、紐状部材を箱状緩衝片２２及びトレー状緩衝片２１を囲むように取り付けて、箱状緩衝片２２をトレー状緩衝片２１に押しつけても良い。
【００２０】
以上詳細に説明したように、この梱包体によれば、曲面部１０ａを有する略柱状の被梱包体１０の側面１０ｂをトレー状緩衝片２１によって支持するとともに、上面視でトレー状緩衝片２１に支持された当該被梱包体１０の側面１０ｂを覆うように一対の柱状緩衝片２２を立設する際に、柱状緩衝片２２に固定された帯状緩衝片２３を当該被梱包体１０の曲面部１０ａに沿って配設し、トレー状緩衝片２１と柱状緩衝片２２とを全体として箱体内に案内するように構成される。
【００２１】
このような梱包体は、被梱包体１０の回転止め機構を備えた梱包体を、材料の調達が極めて容易な段ボール材の板状部材のみで作成することを実現することができるものであり、曲面部１０ａを有する被梱包体１０であっても、かかる段ボール材からなる緩衝片のみで確実に緩衝及び固定を図ることができる。したがって、この梱包体は、従来のように、材質毎に分別して廃棄する必要がなく、材料の調達及び廃棄、さらにはリサイクル活動を極めて容易とすることができる。また、この梱包体は、リサイクルが容易となることから、環境負荷の低減にも寄与し、さらには、調達が容易であることから、包材コストの大幅な低減を図ることもできる。
【００２２】
また、この梱包体において、柱状緩衝片２２とトレー状緩衝片２１とは、嵌合構造となっており、帯状緩衝片２３は、柱状緩衝片２２とトレー状緩衝片２１との嵌合構造によって挟持されて固定される。これにより、この梱包体は、回転止めによる被梱包体１０の支持強度をさらに向上させることができる。
【００２３】
さらに、この梱包体において、帯状緩衝片２３は、段目方向が長手方向とされる段ボール材から形成されており、所定の間隔で段目方向に直交して折り目がつけられている。これにより、この梱包体は、段ボール材を使用した状態であっても回転止めによる支持強度を強固なものとすることができる。
【００２４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００２５】
すなわち、上述した例においては、回転止め部である帯状緩衝片２３が柱部である柱状緩衝片２２とトレー状緩衝片２１との間で押圧されているとしているが、これに限らず、特に嵌合構造になっていなくても良い。
【図面の簡単な説明】
【００２６】
【図１】本発明の実施形態として示す梱包体によって梱包される被梱包体の構造を説明するための斜視図である。
【図２】本発明の実施形態として示す梱包体を構成するトレー状緩衝片の構造を説明するための斜視図である。
【図３】本発明の実施形態として示す梱包体を構成する柱状緩衝片の構造を説明するための斜視図である。
【図４】本発明の実施形態として示す梱包体を構成する帯状緩衝片の構造を説明するための斜視図であり、（ａ）は、屈曲していない状態の帯状緩衝片を示し、（ｂ）は、屈曲した状態の帯状緩衝片を示す図である。
【図５】本発明の実施形態として示す梱包体を構成する柱状緩衝片に帯状緩衝片が装着された様子を説明するための斜視図である。
【図６】本発明の実施形態として示す梱包体の組み立て手順について説明するための図であり、（ａ）は、屈曲していない状態の帯状緩衝片を示し、（ｂ）は、屈曲した状態の帯状緩衝片を柱状緩衝片に装着する様子を示し、（ｃ）は、帯状緩衝片が装着された柱状緩衝片とトレー状緩衝片とを嵌合させる様子を示し、（ｄ）は、柱状緩衝片とトレー状緩衝片とを嵌合させた様子を示す図である。
【符号の説明】
【００２７】
１０  被梱包体
２１  トレー状緩衝片
２２  柱状緩衝片
２３  帯状緩衝片
【図１】
2007223620.tif 000003
【図２】
2007223620.tif 000004
【図３】
2007223620.tif 000005
【図４】
2007223620.tif 000006
【図５】
2007223620.tif 000007
【図６】
2007223620.tif 000008